(57)【特許請求の範囲】
【請求項１】
椅子本体が有した背凭れに組込んだ施療袋に圧縮空気をエアー給排気装置により給排気して前記施療袋を膨張・収縮させてマッサージをする椅子式エアーマッサージ機において、
前記背凭れに寄り掛かった使用者の背筋部に対応して前記背凭れの幅方向中央位置に、前記エアー給排気装置により夫々独立して圧縮空気が給排気される複数の背筋部用施療袋を前記背筋部に沿うように一列に並べて配置するとともに、これら背筋部用施療袋の両側に他の施療袋を配置し、
前記エアー給排気装置が、前記複数の背筋部用施療袋を同時に膨張・収縮させる第１モード、前記複数の背筋部用施療袋の中で指定した個所の背筋部用施療袋のみを膨張・収縮させる第２モード、及び前記複数の背筋部用施療袋に対してそれらの並び方向に従って順番に圧縮空気を給排気させる第３モードを有しており、
前記第３モードは、第１背筋部用施療袋を膨張させた後に、この膨張を維持したままで第２背筋部用施療袋を膨張させ、次に第２背筋部用施療袋を膨張させたままで、第３背筋部用施療袋を膨張させるとともに、第１背筋部用施療袋を収縮させ、引続いて第２背筋部用施療袋を収縮させるように順次行なってゆくことを特徴とする椅子式エアーマッサージ機。
【発明の詳細な説明】
【０００１】
【発明の属する技術分野】
本発明は、背凭れに組込まれて圧縮空気の給排気に従い膨張・収縮する施療袋によって背中などを圧迫・弛緩させてマッサージをする椅子式エアーマッサージ機に関する。
【０００２】
【従来の技術】
椅子式エアーマッサージ機には、その背凭れに寄り掛かる使用者の背中の背筋部をマッサージするために、使用者の背筋部に対応して背凭れに背筋部用施療袋を組込んだものがある。従来において、前記背筋部用施療袋は、背凭れの長手方向、言い換えれば、前記背筋部に沿うように延びる一つの袋体で構成されていた。
【０００３】
この単一の背筋部用施療袋にエアー給排気装置から圧縮空気が供給された際に、前記背筋部用施療袋は膨張して使用者の背筋部全体を前方に押出すように圧迫し、かつ、この後に背筋部用施療袋内の空気が排出されるに伴い前記背筋部用施療袋体は収縮して使用者の背筋部を弛緩させることができる。したがって、こうした膨張・収縮の繰り返しに伴い背筋部をエアーマッサージできる。
【０００４】
【発明が解決しようとする課題】
しかし、前記のように単一の背筋部用施療袋で背筋部をマッサージする構造では、常に背筋部全体を同時にマッサージできるだけであるから、背筋部の中で使用者が希望する特定部分をポイント的にマッサージするという選択ができないという問題がある。又、背筋部全体を同時にマッサージするために、背筋部に対する圧迫感が強すぎる傾向があるとともに、人の手で背筋部をその背筋方向に沿いながら順番にマッサージすることも不可能であり、こうした使い勝手の改善が求められている。
【０００５】
したがって、本発明が解決しようとする課題は、必要に応じて背筋部の特定部分をポイント的にマッサージできるとともに、使用者に過度の圧迫感を与えることなく適正な背筋伸ばしを伴うマッサージを行なえる椅子式エアーマッサージ機を得ることにある。
【０００７】
【課題を解決するための手段】
本発明は、椅子本体が有した背凭れに組込んだ施療袋に圧縮空気をエアー給排気装置により給排気して前記施療袋を膨張・収縮させてマッサージをする椅子式エアーマッサージ機を前提とする。
【０００８】
そして、前記課題を解決するために、請求項１の発明は、椅子本体が有した背凭れに組込んだ施療袋に圧縮空気をエアー給排気装置により給排気して前記施療袋を膨張・収縮させてマッサージをする椅子式エアーマッサージ機において、
前記背凭れに寄り掛かった使用者の背筋部に対応して前記背凭れの幅方向中央位置に、前記エアー給排気装置により夫々独立して圧縮空気が給排気される複数の背筋部用施療袋を前記背筋部に沿うように一列に並べて配置するとともに、これら背筋部用施療袋の両側に他の施療袋を配置し、
前記エアー給排気装置が、前記複数の背筋部用施療袋を同時に膨張・収縮させる第１モード、前記複数の背筋部用施療袋の中で指定した個所の背筋部用施療袋のみを膨張・収縮させる第２モード、及び前記複数の背筋部用施療袋に対してそれらの並び方向に従って順番に圧縮空気を給排気させる第３モードを有しており、
前記第３モードは、第１背筋部用施療袋を膨張させた後に、この膨張を維持したままで第２背筋部用施療袋を膨張させ、次に第２背筋部用施療袋を膨張させたままで、第３背筋部用施療袋を膨張させるとともに、第１背筋部用施療袋を収縮させ、引続いて第２背筋部用施療袋を収縮させるように順次行なってゆくことを特徴とする。
【００１２】
【発明の実施の形態】
以下、図１〜図３を参照して本発明の第１の実施の形態を説明する。
【００１３】
第１の実施の形態に係る椅子式エアーマッサージ機は、その全体を示す図１の斜視図のように、椅子本体１１と、脚載置台１２と、図３に示されるエアー給排気装置１３と、同図３に示される入力手段１４とを具備している。
【００１４】
椅子本体１１は、座部１５と、この座部１５の後側に取付けられた背凭れ１６と、座部１５の左右両側に設けられた肘掛け部１７とを有している。一対のＵ字溝状の脚載置部１２ａを有して椅子本体１１に座った使用者の脹脛部等を下方から支持する脚載置台１２は、座部１５の前側に起倒可能に取付けられている。脚載置台１２は、その起倒により、座部１５の前方に略水平な姿勢で連続する第１位置と、図１に示されるように座部１５から下方に折れ曲がるような姿勢で連なる第２位置とにわたって移動される。なお、この脚載置台１２は本発明において省略することもできる。
【００１５】
椅子本体１１に座った使用者の背中が寄り掛かる背凭れ１６は、図２に示されるように座部１５に連結される図示しないフレーム、及びこれに支持された背凭れベース１６ａを、布製カバー１６ｂで覆って形成されている。この背凭れ１６は、座部１５に対する角度が固定であっても或いはリクライニングできるように回動可能に取付けられていてもよい。
【００１６】
椅子本体１１の少なくとも背凭れ１６には、この椅子本体１１に座った使用者をエアーマッサージするために、圧縮空気の給排気にしたがい膨張・収縮する各種施療袋が組込まれている。すなわち、図１及び図２に示されるように背凭れベース１６ａの前面には、複数の背筋部用施療袋２１〜２３が取付けられているとともに、一対の腰部用施療袋２４と、一対の肩部用施療袋２５とが夫々取付けられている。
【００１７】
第１〜第３の背筋部用施療袋２１〜２３は、背凭れ１６に寄り掛かった使用者の背中の背筋部に対応する位置に、前記背筋部に沿うように一列に並べて配置されている。言い換えれば、第１〜第３の背筋部用施療袋２１〜２３は、背凭れ１６の幅方向中央に位置して背凭れ１６の長手方向に沿って一列に配置されている。なお、本発明において背筋部用施療袋の使用数は、２個又は３個以上であってもよいとともに、その大きさは第１の実施の形態のように同じとしても、或いは異なる大きさとすることもできる。これら各背筋部用施療袋２１〜２３の夫々には後述のように圧縮空気が独立して給排気されるようになっている。
【００１８】
一対の腰部用施療袋２４は最も下位置に配置された第１背筋部用施療袋２１の両側に配置されている。これら一対の腰部用施療袋２４には後述のように圧縮空気が同期して給排気されるようになっている。同様に、一対の肩部用施療袋２５は最も上位置に配置された第３背筋部用施療袋２３の両側に配置されている。これら一対の肩部用施療袋２５にも後述のように圧縮空気が同期して給排気されるようになっている。
【００１９】
座部１５の下側などに配置される前記エアー給排気装置１３は、図３に示されるように制御手段３１と、エアー供給手段３２と、エアー分配器３３とを有している。エアー供給手段３２は、エアーコンプレッサー等からなり、圧縮空気を生成する。この供給手段３２で生成された圧縮空気がエアーホース３４を介して供給されるエアー分配器３３は、前記各施療袋２１〜２５等に供給される圧縮空気を分配するロータリー式の給排気弁等からなる。エアー分配器３３が有する第１〜第３の分配口ａ〜ｃの夫々には、前記第１〜第３の背筋部用施療袋２１〜２３が夫々エアーホース３５〜３７を個別に介して接続されている。更に、エアー分配器３３が有する第４分配口ｄには、エアーホース３８が接続され、このホース３８の二股に分岐された分岐ホース部３８ａには夫々前記一対の腰部用施療袋２４が個別に接続されている。同様に、エアー分配器３３が有する第５分配口ｅには、エアーホース３９が接続され、このホース３９の二股に分岐された分岐ホース部３９ａには夫々前記一対の肩部用施療袋２５が個別に接続されている。
【００２０】
マイクロコンピュータ等からなる制御手段３１は、各種のマッサージモードを有しており、その中から例えばリモートコントローラからなる前記入力手段１４での入力操作により指定されたマッサージモードに応じて、エアー供給手段３２及びエアー分配器３３等の動作を制御するものである。この制御により指定されたモードで定められた順序及び時間に従って前記各施療袋２１〜２５に圧縮空気が給排気されて、指定されたマッサージモードが実行されるようになっている。
【００２１】
指定される各種のマッサージモードとしては、各施療袋２１〜２５を所定時間の間所定の順序にしたがって繰り返し膨張・収縮させて使用者の上半身全体をマッサージする上半身マッサージモード、一対の腰部用施療袋２４を所定時間の間同時に繰り返し膨張・収縮させて使用者の腰部をマッサージする腰部マッサージモード、一対の肩部用施療袋２５を所定時間の間同時に繰り返し膨張・収縮させて使用者の肩部をマッサージする肩部マッサージモード等があり、その他に以下の背筋部マッサージモードがある。
【００２２】
背筋部マッサージモードには、背筋部用施療袋２１〜２３の全てを同時に膨張・収縮させて使用者の背筋全体を同時にマッサージする背筋マッサージ第１モード、背筋部用施療袋２１〜２３をそれらの並び方向に関係なく指定した個所の背筋部用施療袋のみを膨張・収縮させて使用者の背筋を部分的にマッサージ（ポイントマッサージ）する背筋マッサージ第２モード、背筋部用施療袋２１〜２３をそれらの並び方向にしたがって順番に膨張・収縮させて使用者の背筋全体をマッサージする背筋マッサージ第３モード等を含んでいる。
【００２３】
更に、指定されるマッサージモードには前記各種背筋部マッサージモードと肩部及び腰部のマッサージモードとの組合わせも含まれている。これらのモード指定は、前記入力手段１４での入力操作によって指定できる。又、図１中４０は電源コードを示している。
【００２４】
前記構成の椅子式エアーマッサージ機を用いてエアーマッサージをするには、まず、電源コード４０を図示しない電源コンセントに接続した状態で、椅子本体１１に腰掛けてから、入力手段１４を操作して、所望のマッサージモードを指定するとともに、入力手段１４が有する始動スイッチをオンすればよい。そうすると、指定されたマッサージモードが制御手段３１により実行されるから、各施療用袋２１〜２５の内の少なくとも一つが膨張・収縮を所定回数繰り返して、背凭れ１６に寄り掛った使用者の背中の圧迫・弛緩を繰り返すエアーマッサージが行われる。
【００２５】
ところで、背凭れ１６に使用者が寄り掛かった場合に、使用者の背筋部は、背凭れ１６の幅方向中央部に配置された各背筋部用袋体２１〜２３の夫々に対向するようになる。そのため、前記入力手段１４により背筋部マッサージモードを指定した場合には、背筋部についてのエアーマッサージができる。
【００２６】
その際に、入力手段１４において前記背筋マッサージ第１モードを指定した場合には、制御手段３１が各背筋部用袋体２１〜２３の夫々を同時に膨張・収縮させるから、各背筋部用袋体２１〜２３が総合してあたかも一つの施療袋と同様な膨張・収縮を所定回数繰り返して背筋部全体をマッサージすることができる。
【００２７】
又、入力手段１４において前記背筋マッサージ第２モードを指定した場合には、制御手段３１が各背筋部用施療袋２１〜２３のうち前記指定により選択されたいずれか一つの背筋部用施療袋のみを膨張・収縮させて使用者の背筋を部分的にマッサージすることができる。
【００２８】
すなわち、第１背筋部用施療袋２１を単独に指定してそれのみの膨張・収縮を繰り返させる場合には、背筋の腰部側部分に対してエアーマッサージを施すことができる。又、第３背筋部用施療袋２３を単独に指定してそれのみの膨張・収縮を繰り返させる場合には、背筋の肩部側部分に対してエアーマッサージを施すことができる。更に、第２背筋部用施療袋２２を単独に指定してそれのみの膨張・収縮を繰り返させる場合には、背筋の腰部側部分と肩部側部分との間に位置された背筋部分に対してエアーマッサージを施すことができる。このような背筋部の任意部分に対するポイントマッサージは、背筋部に沿うように並んでいる各背筋部用施療袋２１〜２３が互いに独立して給排気されることにより実現できる。
【００２９】
そして、入力手段１４において前記背筋マッサージ第３モードを指定した場合には、制御手段３１が背筋部用施療袋２１〜２３をそれらの並び方向にしたがって順番に膨張・収縮させて使用者の背筋全体をマッサージすることができる。この場合の順番は下から上に、この次に上から下に繰り返し行なわせることができるとともに、この逆の往復の繰り返しも可能である。
【００３０】
しかも、常に少なくとも一つの施療袋の膨張状態を維持しつつ背筋マッサージを実施することもできる。つまり、下から上へと施療袋２１〜２３を順次膨張・収縮させる場合を例に説明すれば、まず、第１背筋部用施療袋２１を膨張させた後に、この膨張を維持したままで第２背筋部用施療袋２２を膨張させ、次に、第２背筋部用施療袋２２を膨張させたままで、第３背筋部用施療袋２３を膨張させるとともに、第１背筋部用施療袋２１を収縮させ、引続いて第２背筋部用施療袋２２を収縮させればよい。同様に、この逆の順序にしたがい各背筋部用施療袋２１〜２３を膨張・収縮させることにより、膨張して背筋部を圧迫するポイントを途切れさせることなく順次移動させながら背筋部全体をマッサージすることができる。前記のような背筋部に対して圧迫ポイントを連続的に移動させるエアーマッサージも、背筋部に沿うように並んでいる各背筋部用施療袋２１〜２３が互いに独立して給排気されることにより実現できる。
【００３１】
前記のように使用者の好みによって、背筋部に対して強い刺激を望む場合には前記背筋マッサージ第１モードを指定すれば良く、背筋部の特定部分のみを限定してポイントマッサージをするには前記背筋マッサージ第２モードを指定すれば良く、又、圧迫ポイントを連続的に背筋方向にずらしながら背筋伸ばしを望む場合には、前記背筋マッサージ第３モードを指定すれば良く、したがって、これら各背筋マッサージモードの選択により多様な形態で使用者の背筋部をマッサージできる。
【００３２】
【発明の効果】
本発明は、以上説明したような形態で実施され、以下に記載されるような効果を奏する。
【００３３】
請求項１に記載の発明によれば、エアー給排気装置により独立して圧縮空気が給排気される複数の背筋部用施療袋を、使用者の背筋部に沿うように背凭れに並べて設けたので、必要に応じて背筋部用施療袋を選択的に膨張・収縮させて、背筋部の特定部分をポイント的にマッサージすることができる。
【００３４】
また、背筋部全体が一度に圧迫されることがないので使用者の背筋部に過度の圧迫感を与えることがないとともに、背筋部を圧迫する位置が背筋方向に沿いながら順番に移動するので、適正な背筋伸ばしを伴うエアーマッサージを行なうことができる。
【図面の簡単な説明】
【図１】本発明の第１の実施の形態に係る椅子式エアーマッサージ機全体の構成を示す斜視図。
【図２】図１に示された椅子式エアーマッサージ機が有する背凭れへの各種施療袋の配置を示す図。
【図３】図１に示された椅子式エアーマッサージ機の制御系統を示すブロック図。
【符号の説明】
１１…椅子本体、
１３…エアー給排気装置、
１６…背凭れ、
２１…第１背筋部用施療袋、
２２…第２背筋部用施療袋、
２３…第３背筋部用施療袋、
２４…腰部用施療袋
２５…肩部用施療袋。
【図１】
0003718047.tif 000002
【図２】
0003718047.tif 000003
【図３】
0003718047.tif 000004